(57)【要約】【課題】収納容器を備える冷蔵庫であって、収納容器を取り外した場合であっても、使い勝手のよさが確保される冷蔵庫を提供すること。【解決手段】断熱箱体１５０と、断熱箱体１５０の内方に配置され前面に開口部を有する貯蔵室と、貯蔵室内に配置された棚板１７５と第一冷凍容器１６０とを備える冷蔵庫であって、貯蔵室の内側壁に取り付けられ、棚板１７５と第一冷凍容器１６０とを支持するための支持ユニット２００を備え、支持ユニット２００は、棚板の端縁が載置される棚支持部２２０と、棚支持部２２０と上下方向に並んで配置され、第一冷凍容器１６０の端部を前後方向に移動可能に支持することで第一冷凍容器１６０を引き出し可能に支持する容器支持部２１０とを一体に備える。【選択図】図５
2010203735.tif 000002
【特許請求の範囲】
【請求項１】
断熱箱体と、前記断熱箱体の内方に配置され前面に開口部を有する貯蔵室と、前記貯蔵室内に配置された棚板と収納容器とを備える冷蔵庫であって、
前記貯蔵室の内側壁に取り付けられ、前記棚板と前記収納容器とを支持するための支持ユニットを備え、
前記支持ユニットは、前記棚板の端縁が載置される棚支持部と、前記棚支持部と上下方向に並んで配置され、前記収納容器の端部を前後方向に移動可能に支持することで前記収納容器を引き出し可能に支持する容器支持部とを一体に備える
冷蔵庫。
【請求項２】
前記支持ユニットはさらに、前記収納容器の移動方向の両端それぞれに突出部を有し、
２つの突出部のうちの、前記支持ユニットが前記冷蔵庫に取り付けられた状態で前方に位置する突出部は、前記収納容器の端部に配置された係止部と当接することで、前記収納容器の最大引き出し距離を規制する
請求項１記載の冷蔵庫。
【請求項３】
前記棚板はガラス製である
請求項１記載の冷蔵庫。
【請求項４】
前記支持ユニットはさらに、前記棚支持部の上方に配置され、前記棚板を固定するための固定部材を有し、
前記棚板は、前記端縁が前記固定部材と前記棚支持部とにより挟まれることにより、上下方向の移動が規制される
請求項１〜３のいずれか１項に記載の冷蔵庫。
【請求項５】
前記固定部材は、弾性を有することで前記内側壁に垂直な方向の長さが伸縮可能であり、
前記棚板の前記端縁は、前記固定部材の前記内側壁に垂直な方向の長さが伸縮することで、前記固定部材の上方から前記固定部材と前記棚支持部との間に挟み込み可能であり、かつ、前記固定部材と前記棚支持部との間から上方に取り外し可能である
請求項４記載の冷蔵庫。
【発明の詳細な説明】
【技術分野】
【０００１】
本発明は、冷蔵庫に関し、特に、貯蔵室内に配置された棚板および収納容器の支持構造に関する。
【背景技術】
【０００２】
従来、冷蔵庫は、奥まで無駄なく貯蔵できる、使い勝手がよい等の観点から、引き出し式の収納容器を備えることが多い。このような引き出し式の収納容器には各種の食品等が収納されるため、これら食品等の出し入れの容易性が求められている。
【０００３】
そこで、引き出し式の収納容器の使い勝手を向上させる技術も開示されている（例えば、特許文献１参照）。
【０００４】
特許文献１記載の冷蔵庫では、食品等を収納する収納容器の左右の側部のそれぞれを、二重構造のレールにより支持している。これにより、収納容器の引き出し長さを十分に確保するとともに、引き出し構造全体の耐久性を向上させている。
【特許文献１】特開２００６−７８１６８号公報
【発明の開示】
【発明が解決しようとする課題】
【０００５】
近年では、冷蔵庫の収納容量が拡大し、貯蔵室内に取り付けられた引き出し式の収納容器（以下、単に「収納容器」という。）の数も増加している。
【０００６】
例えば、従来、縦長の直方体形状の冷蔵庫であって、幅方向の中間部を壁で区切り、左右で異なる種類の貯蔵室が設けられる冷蔵庫がある。このような冷蔵庫は、例えばサイドバイサイド（Ｓｉｄｅ−Ｂｙ−Ｓｉｄｅ：ＳＢＳ）型冷蔵庫と呼ばれる。ＳＢＳ型冷蔵庫では、例えば一方の貯蔵室が冷蔵室であり、他方の貯蔵室が冷凍室である。
【０００７】
ＳＢＳ型冷蔵庫の冷蔵室および冷凍室は縦長である。そのため、それぞれの内部には上下に並んで配置された複数の棚板に加え、一番下の棚板の下方に、複数の収納容器が上下に並んで配置されている。
【０００８】
このように、一つの貯蔵室に複数の収納容器が配置されている場合、使用者によっては、収納容器の数を減らし、棚板を増やした方が使い勝手が良いことも考えられる。
【０００９】
なお、一般的に、収納容器は清掃等のメンテナンスのために冷蔵庫に着脱可能に取り付けられている。そのため、使用者は、例えば複数の収納容器のうちの最も上に位置する収納容器を冷蔵庫から取り外すことができる。
【００１０】
しかしながら、この場合、当該収納容器が当該貯蔵室からなくなるだけであり、当該収納容器の下の収納容器の開口が露出するだけである。つまり、現実的には、食品等の載置領域が拡大するわけではない。
【００１１】
つまり、従来の冷蔵庫では、収納容器を取り外すことにより生じる空間を有効に利用することができない。
【００１２】
本発明は、上記従来の課題を考慮し、収納容器を備える冷蔵庫であって、収納容器を取り外した場合であっても、使い勝手のよさが確保される冷蔵庫を提供することを目的とする。
【課題を解決するための手段】
【００１３】
上記従来の課題を解決するために、本発明の冷蔵庫は、断熱箱体と、前記断熱箱体の内方に配置され前面に開口部を有する貯蔵室と、前記貯蔵室内に配置された棚板と収納容器とを備える冷蔵庫であって、前記貯蔵室の内側壁に取り付けられ、前記棚板と前記収納容器とを支持するための支持ユニットを備え、前記支持ユニットは、前記棚板の端縁が載置される棚支持部と、前記棚支持部と上下方向に並んで配置され、前記収納容器の端部を前後方向に移動可能に支持することで前記収納容器を引き出し可能に支持する容器支持部とを一体に備える。
【００１４】
この構成により、収納容器の直下または直上に棚板が配置される。例えば、収納容器の下に棚板が配置される場合、当該収納容器を取り外すことで、当該収納容器に占められていた空間を食品等の載置領域として有効に使用することができる。
【００１５】
また、例えば、収納容器の直上に棚板が配置される場合、当該棚板の直上の収納容器を取り外すことで、取り外された収納容器に占められていた空間を食品等の載置領域として有効に使用することができる。
【００１６】
つまり、本発明の冷蔵庫では、収納容器を取り外した場合であっても、使い勝手のよさは確保される。また、このような効果を発揮するための支持ユニットは、その構造上の特徴により有意な効果が発揮される。
【００１７】
具体的には、本発明の冷蔵庫における支持ユニットは、容器支持部と棚支持部とを一体に備えるため、コンパクトにでき、貯蔵室の内部空間を不要に消費することがない。
【００１８】
また、このような支持ユニットを用いることにより、収納容器を支持する部材と、棚板を支持する部材とを別々に製造して別々に冷蔵庫に取り付ける必要がない。
【００１９】
このように、本発明は、例えば製造コストおよび製造工程の観点から有利かつ現実的な手法により実現される。
【００２０】
また、前記支持ユニットはさらに、前記収納容器の移動方向の両端それぞれに突出部を有し、２つの突出部のうちの、前記支持ユニットが前記冷蔵庫に取り付けられた状態で前方に位置する突出部は、前記収納容器の端部に配置された係止部と当接することで、前記収納容器の最大引き出し距離を規制するとしてもよい。
【００２１】
この構成により、２つの突出部のうちの前方に位置する突出部が、収納容器の最大引き出し距離を規制する部材として機能する。
【００２２】
例えば、当該支持ユニットを２つ製造すれば、それらのいずれを収納容器の右側に配置してもよく、それらのいずれを収納容器の左に配置してもよい。
【００２３】
つまり、支持ユニットを収納容器の左右で共通化できる。すなわち、支持ユニットを引き出し可能に支持する部材として、左右で共通化できるため、左用および右用のそれぞれを設計および製造する必要がない。
【００２４】
これにより、収納容器の数が比較的多い冷蔵庫を製造する場合、例えば、製造コストを抑制でき、かつ、冷蔵庫を構成する部材の管理が容易になる。
【００２５】
また、前記棚板はガラス製であるとしてもよい。
【００２６】
これにより、棚板の厚みを比較的薄くした場合であっても、食品等の載置に十分な剛性は確保される。
【００２７】
また、棚板は、棚板の直下の収納容器の蓋としての役割も果たすこともできる。この場合、棚板がガラス板であることにより、十分な断熱効果や当該収納容器内の十分な保湿効果も発揮される。
【００２８】
また、前記支持ユニットはさらに、前記棚支持部の上方に配置され、前記棚板を固定するための固定部材を有し、前記棚板は、前記端縁が前記固定部材と前記棚支持部とにより挟まれることにより、上下方向の移動が規制されるとしてもよい。
【００２９】
この構成により、棚板は、より安定的に支持ユニットに支持され、例えば、棚板のがたつきが防止される。
【００３０】
また、前記固定部材は、弾性を有することで前記内側壁に垂直な方向の長さが伸縮可能であり、前記棚板の前記端縁は、前記固定部材の前記内側壁に垂直な方向の長さが伸縮することで、前記固定部材の上方から前記固定部材と前記棚支持部との間に挟み込み可能であり、かつ、前記固定部材と前記棚支持部との間から上方に取り外し可能であるとしてもよい。
【００３１】
この構成により、棚板は、支持ユニットに対し容易に着脱でき、棚板の清掃等の際の利便性が向上する。
【発明の効果】
【００３２】
本発明は、収納容器を備える冷蔵庫であって、収納容器を取り外した場合であっても、使い勝手のよさが確保される冷蔵庫を提供することができる。
【発明を実施するための最良の形態】
【００３３】
以下、本願発明に係る冷蔵庫の実施の形態について、図面を参照しながら説明する。
【００３４】
まず、図１〜図３を用いて、本発明の実施の形態における冷蔵庫１００の基本的な構成を説明する。
【００３５】
図１は、本発明の実施の形態における冷蔵庫１００の外観を示す斜視図である。
【００３６】
図２は、第一副扉１１２と第二副扉１２２とが開けられた冷蔵庫１００の外観を示す斜視図である。
【００３７】
図３は、第一主扉１１１と第二主扉１２１とが開けられた冷蔵庫１００の外観を示す斜視図である。
【００３８】
実施の形態の冷蔵庫１００は、内方に貯蔵する貯蔵品を冷蔵、または、冷凍して保管する装置である。また、冷蔵庫１００は、ＳＢＳ型冷蔵庫である。
【００３９】
冷蔵庫１００は、これらの図が示すように、断熱箱体１５０と、第一主扉１１１と、第二主扉１２１とを備えている。
【００４０】
断熱箱体１５０は、ＡＢＳなどの樹脂体を真空成型した内箱とプリコート鋼板などの金属材料を用いた外箱とで構成された空間に発泡断熱材が充填された断熱壁で構成されている。
【００４１】
また、第一主扉１１１は、前面に設けられた開口部１１３と、開口部１１３を開閉自在に塞ぐ第一副扉１１２とを有している。第二主扉１２１は、前面に設けられた受け取り口１２３と、受け取り口１２３を開閉自在に塞ぐ第二副扉１２２を有している。
【００４２】
第一主扉１１１は、断熱箱体１５０に向かって右側に配置された冷蔵室の開口を開閉自在に塞ぐ扉である。本実施の形態の場合、第一主扉１１１は、断熱箱体１５０の右側の壁の前方に上下方向に延びる回動軸を中心として回動するように、ヒンジ（図示せず）によって断熱箱体１５０に取り付けられている。また、第一主扉１１１は、上下方向に長い長方形であり、冷蔵庫１００の上部から下部にわたって配置され、第一主扉１１１の右端縁部に前記回動軸が通っている。
【００４３】
第二主扉１２１は、断熱箱体１５０に向かって左側に配置された冷凍室の開口を開閉自在に塞ぐ扉である。本実施の形態の場合、第二主扉１２１は、断熱箱体１５０の左側の壁の前方に上下方向に延びる回動軸を中心として回動するように、ヒンジ（図示せず）によって断熱箱体１５０に取り付けられている。また、第二主扉１２１は、上下方向に長い長方形であり、冷蔵庫１００の上部から下部にわたって配置され、第二主扉１２１の左端縁部に前記回動軸が通っている。
【００４４】
開口部１１３は、第一主扉１１１を厚さ方向に貫通する孔を形成する部分である。冷蔵庫１００の使用者は、開口部１１３を介して第一主扉１１１の後方に貯蔵されている貯蔵物を取り出し、また、第一主扉１１１の後方に貯蔵物を収納することができる。
【００４５】
第一副扉１１２は、開口部１１３を開閉自在に塞ぐ扉である。本実施の形態の場合、第一副扉１１２は、開口部１１３の下端縁に左右方向に延びる回動軸を中心として回動するように、軸部材によって第一主扉１１１に取り付けられている。また、第一副扉１１２の下端縁部に前記回動軸が通っている。
【００４６】
第二副扉１２２は、冷蔵庫１００の内方から供給される氷などを受け取る受け取り口１２３を開閉自在に塞ぐ扉である。
【００４７】
また、断熱箱体１５０の上部には、冷蔵庫１００の動作を制御する制御基板が収納されており、その収納空間を塞ぐ基板カバー１５８が取り付けられている。
【００４８】
断熱箱体１５０の内方の空間は、区画壁１５３により左右に区画され、これにより右側の冷蔵室と左側の冷凍室とが形成されている。
【００４９】
冷蔵室の上段部分には、食品等が載置される棚板１７５が複数取り付けられている。なお、図３には図示されていないが、冷凍室にも冷蔵室と同様に上段部分に棚板１７５が複数取り付けられている。
【００５０】
また、冷凍室および冷凍室のそれぞれの下段部分には、食品等を収納する収納容器が複数取り付けられている。
【００５１】
具体的には、冷凍室には、第一冷凍容器１６０、第二冷凍容器１６５、および第三冷凍容器１７０が取り付けられている。冷蔵室には、第一冷蔵容器１８０、第二冷蔵容器１８５、および第三冷蔵容器１９０が取り付けられている。
【００５２】
また、本実施の形態の冷蔵庫１００では、これら収納容器の間にも、棚板１７５が配置されている。
【００５３】
図４は、複数の収納容器と、収納容器間に配置された棚板１７５とを示す切断図である。
【００５４】
なお、図４は、冷蔵庫１００の冷凍室をＹＺ平面と平行に切断した場合の切断図を示している。また、冷凍室の下部背方に配置されているコンプレッサ等の図示は省略されている。
【００５５】
図４に示すように、第一冷凍容器１６０と第二冷凍容器１６５との間、および第二冷凍容器１６５と第三冷凍容器１７０との間のそれぞれに、棚板１７５が配置されている。
【００５６】
また、図４には図示されていないが、冷蔵室も同様の構造であり、第一冷蔵容器１８０と第二冷蔵容器１８５との間、および第二冷蔵容器１８５と第三冷蔵容器１９０との間のそれぞれに、棚板１７５が配置されている。
【００５７】
なお、冷蔵室の各収納容器および各棚板１７５の取り付け構造は、冷凍室の各収納容器および各棚板１７５の取り付け構造と同じである。そのため、以下、冷凍室における各収納容器および各棚板１７５の取り付け構造を中心に説明する。
【００５８】
本実施の形態の冷蔵庫１００では、一つの収納容器および一枚の棚板１７５のそれぞれの側端部は、一つの支持ユニット２００により支持されている。
【００５９】
図５は、実施の形態における収納容器および棚板１７５と、支持ユニット２００との位置関係を示す図である。
【００６０】
図６は、実施の形態における支持ユニット２００が収納容器と棚板１７５とを支持している様子を示す切断図である。
【００６１】
図７は、冷凍室の左内側部に取り付けられた状態の２つの支持ユニット２００および１つのレール部材２３０の外観を示す斜視図である。
【００６２】
なお、図５および図７では、冷凍室の左側（図５における奥側）の内側壁に配置された２つの支持ユニット２００を示しているが、冷凍室の右側（図５における手前側）の内側壁の、当該２つの支持ユニット２００に対向する位置にも、それぞれ支持ユニット２００が取り付けられている。
【００６３】
また、図６は、冷蔵庫１００の冷凍室をＹＺ平面と平行に切断した場合の、第一冷凍容器１６０周辺の切断図を示している。
【００６４】
また、図７では、冷蔵室がＹＺ平面と平行に切断された状態が図示されており、第一主扉１１１および第二主扉１２１等の構成要素の図示は省略されている。
【００６５】
図５および図６に示すように、第一冷凍容器１６０と第二冷凍容器１６５との間の棚板１７５の左側の端縁は、第一冷凍容器１６０の左側の端部を前後方向（図５におけるＹ軸方向）に移動可能に支持する支持ユニット２００により支持されている。
【００６６】
また、第二冷凍容器１６５と第三冷凍容器１７０との間の棚板１７５の左側の端縁は、第二冷凍容器１６５の左側の端部を前後方向に移動可能に支持する支持ユニット２００により支持されている。
【００６７】
また、第三冷凍容器１７０の左側の端部は、レール部材２３０により前後方向に移動可能に支持されている。
【００６８】
なお、冷凍室の最下部に位置する第三冷凍容器１７０の下には、棚板１７５を配置する必要がない。そのため、レール部材２３０は、棚板１７５を支持するための構造を有していない。
【００６９】
このように、実施の形態の冷蔵庫１００では、収納容器間に棚板１７５が配置されているため、使用者にとって非常に使い勝手がよい。
【００７０】
例えば、冷蔵庫１００の使用者が、第一冷凍容器１６０を取り外した場合、第一冷凍容器１６０を支持していた支持ユニット２００に取り付けられた棚板１７５の上面が露出する。
【００７１】
これにより、第一冷凍容器１６０に占められていた冷凍室内の空間は、食品等の載置領域として有効に使用されることになる。
【００７２】
また、本実施の形態において、棚板１７５はガラス板である。これにより、板厚を比較的薄くした場合であっても、食品等の載置に十分な剛性は確保される。
【００７３】
また、収納容器の間の棚板１７５は、棚板１７５の直下の収納容器の蓋としての役割も果たす。そこで、棚板１７５がガラス板であることにより、十分な断熱効果や当該収納容器内の十分な保湿効果も発揮される。
【００７４】
また、支持ユニット２００は、第一冷凍容器１６０等の収納容器を支持する部材と、棚板１７５を支持する部材とを一体に備えている。つまり、収納容器および棚板１７５を支持する構成をコンパクトにすることができる。さらに、これらの支持のための部材を別々に製造して別々に冷蔵庫１００に取り付ける必要がない。そのため、実施の形態の冷蔵庫１００のように、収納容器の数が比較的多い冷蔵庫にとって、例えば製造コストの抑制および製造工程の簡易化の観点から有利である。
【００７５】
図８は、実施の形態における支持ユニット２００の外観を示す斜視図である。
【００７６】
図９は、実施の形態におけるレール部材２３０の外観を示す斜視図である。
【００７７】
図８に示すように、実施の形態における支持ユニット２００は、収納容器の端部を前後方向に移動可能に支持することで当該収納容器を引き出し可能に支持する容器支持部２１０と、棚板１７５の端縁が載置される棚支持部２２０と一体に備えている。なお、支持ユニット２００は、例えば、樹脂の射出成型により一体物として製造される。
【００７８】
また、容器支持部２１０の上方には、収納容器が引き出された場合の、当該収納容器の前方への傾きを規制する規制壁２１１が配置されている。
【００７９】
また、支持ユニット２００はさらに、収納容器の移動方向の両端それぞれに、当該収納容器の最大引き出し距離を規制するための突出部（第一突出部２０１および第二突出部２０２）を有している。
【００８０】
また、支持ユニット２００はさらに、棚支持部２２０の上方に配置され、棚板１７５を固定するための固定部材２２５を有している。
【００８１】
図８に示すように、実施の形態におけるレール部材２３０は、収納容器の端部を前後方向に移動可能に支持することで当該収納容器を引き出し可能に支持する容器支持部２４０を備えている。
【００８２】
また、レール部材２３０はさらに、容器支持部２１０の上方に規制壁２４１を有し、収納容器の移動方向の両端それぞれに突出部（第一突出部２３１および第二突出部２３２）を有している。
【００８３】
このように、支持ユニット２００およびレール部材２３０のそれぞれは、図８および図９に示すように、支持ユニット２００の中央を通る垂線（図８および図９における一点鎖線）を中心とした場合の左右の形状が同一または略同一である。
【００８４】
これにより、支持ユニット２００およびレール部材２３０は、冷凍室等の貯蔵室の右側の内側壁および左側の内側壁のいずれにも取り付けることができる。
【００８５】
例えば、図８が、冷凍室の左側の内側壁に取り付けられた状態の支持ユニット２００を示す図である場合を想定する。この場合、この支持ユニット２００を一点鎖線を中心に１８０度回転させれば、冷凍室の右側の内側壁に取り付けられた状態の支持ユニット２００を示す図になる。
【００８６】
つまり、実施の形態の冷蔵庫１００では、支持ユニット２００およびレール部材２３０という、二種類の部材のみで、複数の収納容器、および、これら収納容器間の棚板１７５が支持されている。
【００８７】
言い換えると、実施の形態の冷蔵庫１００では、収納容器の右側用の支持用部材と、収納容器の左側用の支持用部材との共通化が図られている。
【００８８】
さらに、複数の収納容器のうち、使い勝手等の観点から最も引き出し距離の長い収納容器に合わせて、第一突出部２０１と第二突出部２０２との間の距離が決定されている。また、同様に、第一突出部２３１と第二突出部２３２との間の距離が決定されている。
【００８９】
そのため、複数の収納容器の寸法に応じた、それぞれの収納容器専用の支持部材を設計および製造する必要がなく、かつ、右側用の支持部材と左側用の支持部材のそれぞれを別に設計および製造する必要がない。
【００９０】
このように、貯蔵室の左右の内側壁のいずれにも取り付け可能な支持ユニット２００およびレール部材２３０は、左内側壁および右内側壁のどちらに取り付けられたかに応じて、収納容器の最大引き出し距離を規制する部分が異なる。
【００９１】
具体的には、第一突出部２０１および第二突出部２０２のうち、冷蔵庫１００に取り付けられた状態において、前方に位置する方が、収納容器の最大引き出し距離を規制する部分として機能する。
【００９２】
また、レール部材２３０における第一突出部２３１および第二突出部２３２も同様に、前方に位置する方が、収納容器の最大引き出し距離を規制する部分として機能する。
【００９３】
図１０は、実施の形態における、収納容器と支持ユニット２００との係合関係を示す断面図である。
【００９４】
図１０に示すように、例えば、第二冷凍容器１６５の左側（図１０における奥側）の端部を支持する支持ユニット２００は、冷凍室の左側の内側壁に取り付けられる。この場合、第一突出部２０１が前方に位置することになる。
【００９５】
この第一突出部２０１は、第二冷凍容器１６５が引き出された場合、第二冷凍容器１６５の係止部１６６と当接する。これにより、第二冷凍容器１６５の最大引き出し距離は規制される。
【００９６】
また、第二冷凍容器１６５は、係止部１６６の後方に傾き抑止部１６７を有する。第二冷凍容器１６５が引き出された場合、傾き抑止部１６７が支持ユニット２００の規制壁２１１に当接することにより、第二冷凍容器１６５の前方への傾きが、所定の範囲内に収められる。
【００９７】
なお、図１０に示す状態で、第二冷凍容器１６５の手前側を上に持ち上げ、係止部１６６と第二冷凍容器１６５との係合を外すことで、第二冷凍容器１６５は、冷蔵庫１００から取り外すことができる。
【００９８】
ここで、第二冷凍容器１６５の右側（図１０における手前側）の端部にも、係止部１６６および傾き抑止部１６７が備えられている。
【００９９】
また、第二冷凍容器１６５の右側の端部を支持する支持ユニット２００は、冷凍室の右側の内側壁に取り付けられており、この支持ユニット２００では、第二突出部２０２が前方に位置することになる。
【０１００】
つまり、この場合、第二突出部２０２が第二冷凍容器１６５の最大引き出し距離を規制する部材として機能する。
【０１０１】
なお、第一冷凍容器１６０も、第二冷凍容器１６５と同様の係止部および傾き抑止部を有しており、第一冷凍容器１６０の左右に配置された支持ユニット２００に引き出し可能かつ着脱可能に支持されている。
【０１０２】
また、第三冷凍容器１７０も、第二冷凍容器１６５と同様の係止部および傾き抑止部を有しており、第三冷凍容器１７０の左右に配置されたレール部材２３０に引き出し可能かつ着脱可能に支持されている。
【０１０３】
このように、実施の形態の冷蔵庫１００では、収納容器を支持する部材（支持ユニット２００およびレール部材２３０）が、左右で共通である。このことによっても、冷蔵庫１００のように、収納容器が比較的多い冷蔵庫にとって、例えば製造コストおよび冷蔵庫１００を構成する部材の管理の面で有利である。
【０１０４】
また、上述のように、支持ユニット２００は、棚板１７５を固定するための固定部材２２５を有している。
【０１０５】
固定部材２２５は弾性を有することで、当該支持ユニット２００が取り付けられている内側壁に垂直な方向の長さが伸縮可能である。これにより、棚板１７５の支持ユニット２００への着脱を容易に行うことができ、かつ、棚板１７５の上下方向の移動が規制される。言い換えると棚板１７５のがたつきが押さえられる。
【０１０６】
図１１は、実施の形態における棚板１７５の支持ユニット２００への取り付け方を示す図である。
【０１０７】
図１１に示すように、棚板１７５の端縁を、固定部材２２５の上方に入れ、棚板１７５を下方に押し下げる（図１１の左図）。このとき、固定部材２２５は、当該端縁から下向きの押圧力を受け、内側壁に垂直な方向の長さを縮める（図１１の中図）。
【０１０８】
また、当該端縁が固定部材２２５の先端を越えると、固定部材２２５は自身の弾性により元の形状に復元する。これにより、当該端縁は、固定部材２２５と棚支持部２２０との間に挟み込まれる（図１１の右図）。
【０１０９】
このようにして、棚板１７５の端縁は、固定部材２２５と棚支持部２２０との間に挟み込まれる。これにより、棚板１７５は、支持ユニット２００に取り付けられるとともに、上下方向の位置が固定される。
【０１１０】
なお、棚板１７５が支持ユニット２００に取り付けられた状態で、固定部材２２５の先端が押し下げられることで、当該端縁を固定部材２２５の上方に持ち上げ可能である。
【０１１１】
つまり、棚板１７５の端縁は、固定部材２２５と棚支持部２２０との間から上方に取り外し可能である。
【０１１２】
このように、棚板１７５は、支持ユニット２００に対して容易に着脱することができる。
【０１１３】
これにより、冷蔵庫１００の使用者は、例えば、棚板１７５を清掃する場合に、棚板１７５を冷蔵庫１００から容易に取り外して清掃することができ、かつ、清掃後に、棚板１７５を冷蔵庫１００に容易に取り付けることができる。
【０１１４】
なお、実施の形態における支持ユニット２００では、容器支持部２１０が棚支持部２２０の上に備えられている。
【０１１５】
しかしながら、容器支持部２１０と棚支持部２２０とが上下逆でもよい。例えば、第一冷凍容器１６０等の収納容器の上端部を前後方向に移動可能に支持する容器支持部２１０の上に、棚支持部２２０を備えてもよい。
【０１１６】
この場合、支持ユニット２００は、収納容器を吊り下げ式に支持し、その上方に棚板１７５が配置されることになる。
【０１１７】
ここで当該構造の支持ユニット２００に、第二冷凍容器１６５と棚板１７５とが支持された場合を想定する。この場合、第一冷凍容器１６０が取り外されると、当該棚板１７５の上面が露出し、第一冷凍容器１６０に占められていた空間を食品等の載置領域として有効に使用することができる。
【０１１８】
以上、本発明の実施の形態について説明したが、本発明における技術的特徴は、収納容器を備える冷蔵庫で発揮される。
【０１１９】
したがって、実施の形態の冷蔵庫１００のようなＳＢＳ型の冷蔵庫だけでなく、収納容器を備える様々な種類の冷蔵庫に本発明は適用可能である。
【産業上の利用可能性】
【０１２０】
本発明は、収納容器を備える冷蔵庫であって、収納容器を取り外した場合であっても、使い勝手のよさが確保される冷蔵庫を提供することができる。従って、本発明は、家庭用および業務用など様々な種類および大きさの冷蔵庫等として有用である。
【図面の簡単な説明】
【０１２１】
【図１】本発明の実施の形態における冷蔵庫の外観を示す斜視図である。
【図２】第一副扉と第二副扉とが開けられた冷蔵庫の外観を示す斜視図である。
【図３】第一主扉と第二主扉とが開けられた冷蔵庫の外観を示す斜視図である。
【図４】複数の収納容器と、収納容器間に配置された棚板とを示す切断図である。
【図５】実施の形態における収納容器および棚板と、支持ユニットとの位置関係を示す図である。
【図６】実施の形態における支持ユニットが収納容器と棚板とを支持している様子を示す切断図である。
【図７】冷凍室の左内側部に取り付けられた状態の２つの支持ユニットおよび１つのレール部材の外観を示す斜視図である。
【図８】実施の形態における支持ユニットの外観を示す斜視図である。
【図９】実施の形態におけるレール部材の外観を示す斜視図である。
【図１０】実施の形態における、収納容器と支持ユニットとの係合関係を示す断面図である。
【図１１】実施の形態における棚板の支持ユニットへの取り付け方を示す図である。
【符号の説明】
【０１２２】
１００    冷蔵庫
１１１    第一主扉
１１２    第一副扉
１１３    開口部
１２１    第二主扉
１２２    第二副扉
１２３    受け取り口
１５０    断熱箱体
１５３    区画壁
１５８    基板カバー
１６０    第一冷凍容器
１６５    第二冷凍容器
１６６    係止部
１６７    傾き抑止部
１７０    第三冷凍容器
１７５    棚板
１８０    第一冷蔵容器
１８５    第二冷蔵容器
１９０    第三冷蔵容器
２００    支持ユニット
２０１、２３１    第一突出部
２０２、２３２    第二突出部
２１０、２４０    容器支持部
２１１、２４１    規制壁
２２０    棚支持部
２２５    固定部材
２３０    レール部材
【図１】
2010203735.tif 000003
【図２】
2010203735.tif 000004
【図３】
2010203735.tif 000005
【図４】
2010203735.tif 000006
【図５】
2010203735.tif 000007
【図６】
2010203735.tif 000008
【図７】
2010203735.tif 000009
【図８】
2010203735.tif 000010
【図９】
2010203735.tif 000011
【図１０】
2010203735.tif 000012
【図１１】
2010203735.tif 000013